(57)【要約】【課題】  本考案は、環境学習や交通安全意識向上を目指した再生製品を部品の主体にして作る人形セットである。【解決手段】  一般の家庭や、事業所にある家庭又は作業用品のうち、再生された部品を大部分に用い、添付された製作手順説明に従い人形を製作して行き、環境学習や交通安全意識を身に着けられるセットである。この製作セットは、各部品の用意される段階、ならびに、製作手順段階での各部品の切断、縫製などの加工工程を避け、製作後の作り直しや、再びその部品の再使用が可能であるなどによる工夫が随所に施されている。さらに、環境学習や交通安全意識を、この人形の製作者に訴え、この完成品が打ち捨てられることなく製作者の身の廻りに長く留めらることで達成される。【選択図】  図４
0003106496.tif 000002
【実用新案登録請求の範囲】
【請求項１】
本考案の人形製作セットには、製作手順説明が、添付されている。
【請求項２】
本考案の人形製作セットには、外装材、各部品のほとんどに再生製品を使い、また、各部品の用意される段階、ならびに製作手順段階での各部品の切断、縫製などの加工工程は避けており、完成後の作り直しや、また、解体後、再びその部品の大半を家庭又は作業用品としての再使用が可能であるなどの対策を通して、随所に環境学習を身に着けられるべく、準備されている。
【請求項３】
本考案の人形製作セットには、その製作手順段階において、製作者個人が考えた独自の目口などの表情の描き込みや、交通安全標語の書き込みなどを実施をすることで、製作者がその人形への愛着を生み、その後の長期的鑑賞と環境学習や交通安意識への理解を継続的に身に着け易い形を作る。
【考案の詳細な説明】
【技術分野】
【０００１】
製品に添付されている製作手順説明に従い、ごく一般の家庭や、事業所などにある家庭又は作業用品のうち、再生された作業用手袋、紙ひも、および、貼付け機能付き用紙などを部品の大部分に用い、人形を製作して行くにあたり、環境学習や交通安全意識を身に着けられる人形セットである。また、製作完成後、その作り直しや、その部品の大半の家庭又は作業用品としての再使用が可能である。
【背景技術】
【０００２】
過去の人形を作るセットでは、その部品が用意される段階や、製作手順の段階において、部品の切断や縫製などの加工が実施済みか、又は、加工が製作手順に指示されており、その部品の大半を元のように再生製品として再使用することは、ほぼ不可能であった。また、人形作りの楽しみを通して、環境学習や交通安全意識を身に着けられる製品は、これまでほとんど無かった。
【考案の開示】
【考案が解決しようとする課題】
【０００３】
人形作リを通して、環境学習や交通安全意識を強烈に印象づけ、さらに、その印象を長期に渡り継続できる人形セットを作ることである。
【課題を解決するための手段】
【０００４】
本考案は、製品全体に工夫が施されている。再生製品からなる部品の説明や、その外装材の材質自体にもそのことが現れているが、それ以上に、環境学習や交通安全意識をこの人形の製作者の感情に訴え、さらに、そのことに成功をしている。つまり、人形作りを開始するときに芽生える小さな期待感に始まり、想像される人形の形とは全く異なる部品から出現する意外性と驚き、さらに、完成に至るまでの製作工程随所に払う努力が報われる喜び、充実感、加えて、これが完成したものが単なる人形ではあるものの、動物という愛らしいものにに注ぐごく自然発生的な感情により、完成品が打ち捨てられることなく製作者の身の廻りに長く留めらると、推定される。
【考案の効果】
【０００５】
上述のように、人形製作に始まり、完成後も続く継続的な環境学習、ならびに、交通安全意識上、願っても無い効果を発揮する。
【考案を実施するための最良の形態】
【０００６】
ごく一般の家庭や事業所などにある家庭又は作業用品のうち作業用手袋、紙ひも、貼付け機能付き用紙などのうち、特にそのほとんどに再生製品の部品を用い、添付された説明書に従い、各部品の材質の把握、人形の外形製作、完成した人形へのそれぞれ製作者個人が考えた独自の表情を描き入れたり、交通安全標語の書き込みなどを行う。それらのことを通して製作者がその人形への愛着を生み、その後の長期的鑑賞と環境学習や交通安全意識への理解を継続的に身に着ける形を作る。
【実施例１】
【０００７】
以下、添付図面に従って一実例を説明する。１と２は本考案の製品を包む外装材で、古紙配合率１００％の再生紙を使用し、１はその表面で、環境学習効果向上を狙った内容説明を強調している。２はその裏面で、人形の製作手順説明の図解を載せている。
【０００８】
８と９は製作完成後のカメの人形を、６の顔部分の貼付け機能付き用紙にそれぞれの製作者が考えた独自の表情を描き入れた例を示す。８の甲羅部分の貼付け機能付き用紙に同じくにそれぞれの製作者が独自の交通安全標語の書き込みをした例を、９は甲羅部分の貼付け機能付き用紙に同じくそれぞれの製作者が独自の絵柄を書き込んだ例を示す。
【図面の簡単な説明】
【０００９】
【図１】本考案の再生製品を部品の主体にして作る製作手順説明付き人形セットの外装材の表面である。
【図２】本考案の再生製品を部品の主体にして作る製作手順説明付き人形セットの外装材の裏面である。
【図３】各部品の正面図である。
【図４】製作者が製作手順説明に従い完成した人形の外観図で、顔部分の貼付け機能付き用紙に独自の表情を描き込み、甲羅部分の貼付け機能付き用紙には独自の交通安全標語を記入したものである。
【図５】製作者が製作手順説明に従い完成した人形の外観図で、顔部分の貼付け機能付き用紙に独自の表情を描き込み、甲羅部分の貼付け機能付き用紙には独自の絵柄を書き込んだものである。
【００１０】
１  外装材の表面
２  外装材の裏面
３  作業用手袋１双  再生製品
４  紙ひも  再生製品
５  輪ゴム
６  顔部分の貼付け機能付き用紙
７  甲羅部分の貼付け機能付き用紙
８  甲羅部分の貼付け機能付き用紙には交通安全標語を記入した完成後のカメの人形
９  甲羅部分の貼付け機能付き用紙には絵柄を記入して完成後のカメの人形
【図１】
0003106496.tif 000003
【図２】
0003106496.tif 000004
【図３】
0003106496.tif 000005
【図４】
0003106496.tif 000006
【図５】
0003106496.tif 000007
【手続補正書】
【提出日】平成16年9月21日(2004.9.21)
【手続補正１】
【補正対象書類名】実用新案登録請求の範囲
【補正対象項目名】請求項１
【補正方法】変更
【補正の内容】
【請求項１】
人形製作のための各部品と共に、外装材に製作手順説明が添付された人形製作セット
【手続補正２】
【補正対象書類名】実用新案登録請求の範囲
【補正対象項目名】請求項２
【補正方法】変更
【補正の内容】
【請求項２】
人形製作手順段階において、各部品の切断、縫製などの加工工程を避け、完成後の作り直しや、また、解体後、再びその部品の大半を家庭又は作業用品としての再使用が可能であるなどの対策を通して、随所に環境学習を身に着けられるべく、準備された外装材や各部品の一部に再生製品が含まれていることを特徴とする請求項１記載の人形製作セット
【手続補正３】
【補正対象書類名】実用新案登録請求の範囲
【補正対象項目名】請求項３
【補正方法】変更
【補正の内容】
【請求項３】
人形製作手順段階において、製作者がその人形への愛着を生み、その後の長期的鑑賞と、環境学習や交通安意識への理解を継続的に身に着け易い形態をほどこすため、人形の顔部分へ製作者個人が考えた独自の表情の描き込みができる貼付け機能付き用紙と、さらに、人形の甲羅部分へ製作者個人が考えた交通安全標語の書き込みなどができる貼付け機能付き用紙を備えたことを特徴とする請求項１記載の人形製作セット